(57)【要約】【課題】  印刷条件毎に色変換ＬＵＴを予め作成しておかなくても、所望の重ね刷り結果を得ることができること。【解決手段】  基本的な色インクの組み合わせに対応して作成された基本色変換ＬＵＴの中から、重ね刷りに用いる色インクの情報と基本色変換ＬＵＴにおける色インクの情報とに基づいて最適な基本色変換ＬＵＴを選択するＬＵＴ選択部と、選択された基本色変換ＬＵＴを参照して、多色原稿に対応する色空間の多値画素値を色インクに対応する色空間の多値画素値に変換する色空間座標変換部と、基本色変換ＬＵＴに基づいて変換された色インクに対応する色空間の多値画素値もしくは選択された基本色変換ＬＵＴに記憶されている色インクに対応する色空間の多値画素値の少なくとも一方を、重ね刷りに用いる色インクの特徴点情報と、選択された基本色変換ＬＵＴにおける色インクの特徴点情報とに基づいて補正する補正処理部とを備える。【選択図】      図１
2005323240.tif 000002
【特許請求の範囲】
【請求項１】
多色原稿画像を複数の色インクで重ね刷りする場合に、前記多色原稿画像に対応する色空間の多値画素値を前記色インクに対応する色空間の多値画素値に変換する画像処理装置であって、
基本的な色インクの組み合わせに対応して予め作成された基本色変換ＬＵＴの中から、前記重ね刷りに用いる色インクの情報と前記基本色変換ＬＵＴにおける色インクの情報とに基づいて基本色変換ＬＵＴを選択するＬＵＴ選択部と、
選択された前記基本色変換ＬＵＴを参照して、前記多色原稿画像に対応する色空間の多値画素値を前記色インクに対応する色空間の多値画素値に変換する色空間座標変換部と、
前記基本色変換ＬＵＴに基づいて変換された前記色インクに対応する色空間の多値画素値もしくは前記選択された基本色変換ＬＵＴに記憶されている前記色インクに対応する色空間の多値画素値の少なくとも一方を、前記重ね刷りに用いる色インクの特徴点情報と、選択された前記基本色変換ＬＵＴにおける色インクの特徴点情報とに基づいて補正する補正処理部と
を備えることを特徴とする画像処理装置。
【請求項２】
前記ＬＵＴ選択部は、前記重ね刷りに用いる色インクと前記基本色変換ＬＵＴにおける色インクとの色差が最小になる基本色変換ＬＵＴを選択すること
を特徴とする請求項１に記載の画像処理装置。
【請求項３】
前記特徴点情報は、前記多色原稿画像に対応する色空間における代表的特徴点の、前記色インクに対応する色空間における多値画素値であること
を特徴とする請求項１または請求項２のいずれかに記載の画像処理装置。
【請求項４】
前記代表的特徴点は、前記多色原稿画像に対応する色空間における３つ以上の特徴点を含むこと
を特徴とする請求項３に記載の画像処理装置。
【請求項５】
前記代表的特徴点は、前記多色原稿画像に対応する色空間における８つの頂点を含むこと
を特徴とする請求項３に記載の画像処理装置。
【請求項６】
前記代表的特徴点の前記色インクに対応する色空間における多値画素値は、前記色インクに対応する色空間の外側の値を許すこと
を特徴とする請求項３に記載の画像処理装置。
【請求項７】
多色原稿画像を複数の色インクで重ね刷りする場合に、前記多色原稿画像に対応する色空間の多値画素値を前記色インクに対応する色空間の多値画素値に変換する画像処理方法であって、
基本的な色インクの組み合わせに対応して予め作成された基本色変換ＬＵＴの中から、前記重ね刷りに用いる色インクの情報と前記基本色変換ＬＵＴにおける色インクの情報とに基づいて基本色変換ＬＵＴを選択する段階と、
選択された前記基本色変換ＬＵＴにおいて、記憶されている前記色インクに対応する色空間の多値画素値を、前記重ね刷りに用いる色インクの特徴点情報と、選択された前記基本色変換ＬＵＴにおける色インクの特徴点情報とに基づいて補正する段階と、
補正された前記基本色変換ＬＵＴを参照し、前記多色原稿画像に対応する色空間の多値画素値を前記色インクに対応する色空間の多値画素値に変換する段階と
を含むことを特徴とする画像処理方法。
【請求項８】
多色原稿画像を複数の色インクで重ね刷りする場合に、前記多色原稿画像に対応する色空間の多値画素値を前記色インクに対応する色空間の多値画素値に変換する画像処理方法であって、
基本的な色インクの組み合わせに対応して予め作成された基本色変換ＬＵＴの中から、前記重ね刷りに用いる色インクの情報と前記基本色変換ＬＵＴにおける色インクの情報とに基づいて基本色変換ＬＵＴを選択する段階と、
選択された前記基本色変換ＬＵＴを参照し、前記多色原稿画像に対応する色空間の多値画素値を前記色インクに対応する色空間の多値画素値に変換する段階と、
変換された前記色インクに対応する色空間の多値画素値を、前記重ね刷りに用いる色インクの特徴点情報と、選択された前記基本色変換ＬＵＴにおける色インクの特徴点情報とに基づいて補正する段階と
を含むことを特徴とする画像処理方法。
【請求項９】
アプリケーションプログラムで作成された多色原稿画像を複数の色インクで重ね刷りする印刷装置のプリンタドライバであって、
基本的な色インクの組み合わせに対応して予め作成された基本色変換ＬＵＴの中から、前記重ね刷りに用いる色インクの情報と前記基本色変換ＬＵＴにおける色インクの情報とに基づいて基本色変換ＬＵＴを選択するＬＵＴ選択部と、
選択された前記基本色変換ＬＵＴを参照して、前記多色原稿画像に対応する色空間の多値画素値を前記色インクに対応する色空間の多値画素値に変換する色空間座標変換部と、
前記基本色変換ＬＵＴに基づいて変換された前記色インクに対応する色空間の多値画素値もしくは前記選択された基本色変換ＬＵＴに記憶されている前記色インクに対応する色空間の多値画素値の少なくとも一方を、前記重ね刷りに用いる色インクの特徴点情報と、選択された前記基本色変換ＬＵＴにおける色インクの特徴点情報とに基づいて補正する補正処理部と
を備えることを特徴とするプリンタドライバ。
【請求項１０】
前記ＬＵＴ選択部は、前記重ね刷りに用いる色インクと前記基本色変換ＬＵＴにおける色インクとの色差が最小になる基本色変換ＬＵＴを選択すること
を特徴とする請求項９に記載のプリンタドライバ。
【請求項１１】
前記特徴点情報は、前記多色原稿画像に対応する色空間における代表的特徴点の、前記色インクに対応する色空間における多値画素値であること
を特徴とする請求項９または請求項１０のいずれかに記載のプリンタドライバ。
【請求項１２】
前記代表的特徴点は、前記多色原稿画像に対応する色空間における３つ以上の特徴点を含むこと
を特徴とする請求項１１に記載のプリンタドライバ。
【請求項１３】
前記代表的特徴点は、前記多色原稿画像に対応する色空間における８つの頂点を含むこと
を特徴とする請求項１１に記載のプリンタドライバ。
【請求項１４】
前記代表的特徴点の前記色インクに対応する色空間における多値画素値は、前記色インクに対応する色空間の外側の値を許すこと
を特徴とする請求項１１に記載のプリンタドライバ。
【発明の詳細な説明】
【技術分野】
【０００１】
多色原稿を複数の色インクで重ね刷りするために、多色原稿画像データの原稿色（色光）に対応した原稿色空間の多値画素値を、印刷に用いる色インクに対応した色空間の多値画素値に変換する画像処理装置、画像処理方法、及びプリンタドライバに関する。
【背景技術】
【０００２】
一般に、多色原稿を複数の色インクで重ね刷りする際には、多色原稿画像の原稿色（色光）に対応した色空間（例えば、ＲＧＢ色空間）の多値画素値を、印刷に用いる色インクに対応した色空間（例えば、ＣＭＹ色空間）の多値画素値に変換する、所謂「分版」が行われる。
【０００３】
分版処理のアルゴリズムとしては、ノイゲバウアーの方程式に代表される変換式でＲＧＢ色空間をＣＭＹ色空間に変換する方式（例えば、特許文献１参照）と、色変換ルックアップテーブル（以下「色変換ＬＵＴ」と省略する）用いてＲＧＢ色空間をＣＭＹ色空間に変換する方式（例えば、特許文献２参照）とに大別されるが、意図的な色域シフト（好ましい色再現）を行うことが容易な、色変換ＬＵＴによる分版処理アルゴリズムが用いられることが多い。
【特許文献１】特開２００１−２７７４７３号公報
【特許文献２】特開２００１−１８６３６８号公報
【発明の開示】
【発明が解決しようとする課題】
【０００４】
上記のような色変換ＬＵＴは、色変換、色補正・強調、濃度補正等の様々な濃度変換を含む総合的な変換テーブルであり、使用する色インクやその印刷順等の印刷条件に応じた色変換ＬＵＴをそれぞれ用意しておく必要がある上、色変換ＬＵＴを作成するためには、スキルのある技術者が試行錯誤を繰り返すことで出来上がるというように、非常に手間の掛かる工程が必要であった。
【０００５】
使用するインク色の数やその印刷順のバリエーションが少ない場合は、それぞれの印刷条件に対応する色変換ＬＵＴを全印刷条件について予め用意しておき、印刷の都度、条件に応じた色変換ＬＵＴを選択すれば良かった。しかし、使用する色インクの数や印刷順のバリエーションが多くなるにつれて、印刷条件毎に色変換ＬＵＴを作成するために多大な時間やコストを要するようになり、また、色変換ＬＵＴを記憶しておく記憶装置の記憶容量も肥大化していた。
【０００６】
本発明は、以上のような状況を鑑みてなされたものであり、基本的な色インクの組み合わせに対応して予め作成された基本色変換ＬＵＴを基に、多色原稿画像データの原稿色に対応した原稿色空間の多値画素値を、印刷に用いる色インクに対応した色空間の多値画素値に変換することができる画像処理装置、画像処理方法、及びプリンタドライバを提供することを目的とする。
【課題を解決するための手段】
【０００７】
本発明に係る画像処理装置の特徴は、多色原稿画像を複数の色インクで重ね刷りする場合に、前記多色原稿画像に対応する色空間の多値画素値を前記色インクに対応する色空間の多値画素値に変換する画像処理装置であって、基本的な色インクの組み合わせに対応して予め作成された基本色変換ＬＵＴの中から、前記重ね刷りに用いる色インクの情報と前記基本色変換ＬＵＴにおける色インクの情報とに基づいて最適な基本色変換ＬＵＴを選択するＬＵＴ選択部と、選択された前記基本色変換ＬＵＴを参照して、前記多色原稿画像に対応する色空間の多値画素値を前記色インクに対応する色空間の多値画素値に変換する色空間座標変換部と、前記基本色変換ＬＵＴに基づいて変換された前記色インクに対応する色空間の多値画素値もしくは前記選択された基本色変換ＬＵＴに記憶されている前記色インクに対応する色空間の多値画素値の少なくとも一方を、前記重ね刷りに用いる色インクの特徴点情報と、選択された前記基本色変換ＬＵＴにおける色インクの特徴点情報とに基づいて補正する補正処理部とを備えることにある。
【０００８】
また、本発明に係る画像処理方法の特徴は、多色原稿画像を複数の色インクで重ね刷りする場合に、前記多色原稿画像に対応する色空間の多値画素値を前記色インクに対応する色空間の多値画素値に変換する画像処理方法であって、基本的な色インクの組み合わせに対応して予め作成された基本色変換ＬＵＴの中から、前記重ね刷りに用いる色インクの情報と前記基本色変換ＬＵＴにおける色インクの情報とに基づいて最適な基本色変換ＬＵＴを選択する段階と、選択された前記基本色変換ＬＵＴにおいて、記憶されている前記色インクに対応する色空間の多値画素値を、前記重ね刷りに用いる色インクの特徴点情報と、選択された前記基本色変換ＬＵＴにおける色インクの特徴点情報とに基づいて補正する段階と、補正された前記基本色変換ＬＵＴを参照し、前記多色原稿画像に対応する色空間の多値画素値を前記色インクに対応する色空間の多値画素値に変換する段階とを含むことにある。もしくは、本発明に係る画像処理方法の特徴は、多色原稿画像を複数の色インクで重ね刷りする場合に、前記多色原稿画像に対応する色空間の多値画素値を前記色インクに対応する色空間の多値画素値に変換する画像処理方法であって、基本的な色インクの組み合わせに対応して予め作成された基本色変換ＬＵＴの中から、前記重ね刷りに用いる色インクの情報と前記基本色変換ＬＵＴにおける色インクの情報とに基づいて最適な基本色変換ＬＵＴを選択する段階と、選択された前記基本色変換ＬＵＴを参照し、前記多色原稿画像に対応する色空間の多値画素値を前記色インクに対応する色空間の多値画素値に変換する段階と、変換された前記色インクに対応する色空間の多値画素値を、前記重ね刷りに用いる色インクの特徴点情報と、選択された前記基本色変換ＬＵＴにおける色インクの特徴点情報とに基づいて補正する段階とを含むことにある。
【０００９】
また、本発明に係るプリンタドライバの特徴は、アプリケーションプログラムで作成された多色原稿画像を複数の色インクで重ね刷りする印刷装置のプリンタドライバであって、基本的な色インクの組み合わせに対応して予め作成された基本色変換ＬＵＴの中から、前記重ね刷りに用いる色インクの情報と前記基本色変換ＬＵＴにおける色インクの情報とに基づいて最適な基本色変換ＬＵＴを選択するＬＵＴ選択部と、選択された前記基本色変換ＬＵＴを参照して、前記多色原稿画像に対応する色空間の多値画素値を前記色インクに対応する色空間の多値画素値に変換する色空間座標変換部と、前記基本色変換ＬＵＴに基づいて変換された前記色インクに対応する色空間の多値画素値もしくは前記選択された基本色変換ＬＵＴに記憶されている前記色インクに対応する色空間の多値画素値の少なくとも一方を、前記重ね刷りに用いる色インクの特徴点情報と、選択された前記基本色変換ＬＵＴにおける色インクの特徴点情報とに基づいて補正する補正処理部とを備えることにある。
【００１０】
すなわち、基本的な色インクの組み合わせに対応して予め作成された基本色変換ＬＵＴの中から、重ね刷りに用いる色インクの情報と前記基本色変換ＬＵＴにおける色インクの情報とに基づいて基本色変換ＬＵＴを選択する。そして、選択された基本色変換ＬＵＴを参照して、基本色変換ＬＵＴに基づいて変換された色インクに対応する色空間の多値画素値もしくは選択された基本色変換ＬＵＴに記憶されている色インクに対応する色空間の多値画素値を、重ね刷りに用いる色インクの特徴点情報と選択された基本色変換ＬＵＴにおける色インクの特徴点情報とに基づいて補正するので、印刷条件毎に色変換ＬＵＴを予め作成しておかなくても、多色原稿画像データの原稿色に対応した原稿色空間の多値画素値を、重ね刷りに用いる色インクに対応した色空間の多値画素値に変換することができる。
【００１１】
また、前記ＬＵＴ選択部は、前記重ね刷りに用いる色インクと前記基本色変換ＬＵＴにおける色インクとの色差が最小になる基本色変換ＬＵＴを選択することことで、最適な基本色変換ＬＵＴを選択することができる。
【００１２】
また、前記特徴点情報は、前記多色原稿画像に対応する色空間における代表的特徴点の、前記色インクに対応する色空間における多値画素値とすることで、精度良く色変換を行うことができる。
【発明の効果】
【００１３】
本発明によれば、印刷条件毎に色変換ＬＵＴを予め作成しておかなくても、所望の重ね刷り結果を得ることができる画像処理装置、画像処理方法、及びプリンタドライバを提供することができる。
【発明を実施するための最良の形態】
【００１４】
以下、図１から図１２を参照して、本発明の実施の形態について詳しく説明する。なお、各図面を通じて同一もしくは同等の部位や構成要素には、同一もしくは同等の参照符号を付し、その説明を省略もしくは簡略化する。
【００１５】
［実施例１］
図１は、孔版印刷装置１００と原稿作成装置２００による印刷システムを例示している。
【００１６】
孔版印刷装置１００は、原稿読み取り部１０１、製版部１０２、印刷部１０３、制御部１０４、外部インタフェース部１０５、操作パネル１０６、データ部１３０、画像処理装置１４０などを備え、色インクの異なる複数の版胴（図１に示した例では、版胴１及び版胴２）を同時に装着できる、多色印刷装置である。
【００１７】
制御部１０４は、いずれも図示しない処理装置（ＣＰＵ）、ＲＡＭ、ＲＯＭ、等で構成され、処理装置はＲＯＭやデータ部１３０及び図示しない記憶手段に記憶されたプログラムやデータをＲＡＭに読み出して処理し、処理結果に基づいて孔版印刷装置１００全体を制御する。
【００１８】
操作パネル１０６は、ユーザから指示を受けるための、図示しない入力部（タッチパネルやスイッチ等で構成）と、ユーザに各種情報を表示するための、図示しない表示部（液晶パネルやランプ等で構成）を有する。
【００１９】
外部インタフェース部１０５は、孔版印刷装置１００がネットワーク等を介して他装置（例えば原稿作成装置２００）と接続するための機能を有する。
【００２０】
原稿読み取り部１０１は、印刷すべき多色原稿の画像を光学的に読み取る。製版部１０２は、原稿読み取り部１０１で読み取られ、画像処理装置１４０で分版処理された単色画像データに基づき、分版された版、即ち印刷に使用する色インク毎に孔版原紙を感熱穿孔して製版する。
【００２１】
印刷部１０３は、２つの版胴を装着できる装着位置１及び装着位置２を有し、装着位置１、装着位置２の順番で各装着位置に装着された版胴に印刷用紙を押圧して、各版胴から供給される色インクが、着版された孔版原紙の穿孔を介して印刷用紙に転写されることで印刷する。尚、装着位置１に装着される版胴を版胴１、装着位置２に装着される版胴を版胴２とする。
【００２２】
データ部１３０は、基本色変換ＬＵＴ１３１、変数エリア１３２、変数エリア１３３から構成される。基本色変換ＬＵＴ１３１は、基本的な色インクの組み合わせに対応して予め作成された基本色変換ＬＵＴ１３１−１，１３１−２，…，１３１−ｉの集合であり、基本的な色インクの組み合わせに応じてＲＧＢ色空間の多値画素値と出力色空間の多値画素値との対応関係をそれぞれ記憶する。変数エリア１３２は、各基本色変換ＬＵＴ１３１−１，１３１−２，…，１３１−ｉの特徴点情報等を記憶し、変数エリア１３３は、印刷に用いる色インクの特徴点情報等を記憶する。尚、基本色変換ＬＵＴ１３１や変数エリア１３２、変数エリア１３３は、画像処理装置１４０に設けても良い。
【００２３】
画像処理装置１４０は、色空間座標変換部１４１、補正処理部１４２、ＬＵＴ選択部１４３を備え、基本色変換ＬＵＴ１３１の中から最適な基本色変換ＬＵＴ１３１を選択し、原稿読み取り部１０１にて読み取られた多色原稿画像データをＲＧＢ色空間の多値画素値に変換し、変換されたＲＧＢ色空間の多値画素値を印刷に用いる色インクに対応した出力色空間の多値画素値に変換し、印刷に用いる色インクの特徴点情報と選択された基本色変換ＬＵＴ１３１における色インクの特徴点情報とに基づいて補正する。あるいは、原稿作成装置２００から送信されてきた多色原稿画像データのＲＧＢ色空間の多値画素値を、印刷に用いる色インクに対応した出力色空間の多値画素値に変換し、印刷に用いる色インクの特徴点情報と選択された基本色変換ＬＵＴ１３１における色インクの特徴点情報とに基づいて補正する。また、画像処理装置１４０は、印刷に用いる色インクと重ね刷り順序情報を、制御部１０４から取得する。
【００２４】
ＬＵＴ選択部１４３は、基本的な色インクの組み合わせに対応して予め作成されデータ部１３０に記憶されている基本色変換ＬＵＴ１３１の中から、印刷に用いる色インクの情報と基本色変換ＬＵＴ１３１における色インクの情報とに基づいて、最適な基本色変換ＬＵＴ１３１を選択する。色空間座標変換部１４１は、選択された基本色変換ＬＵＴ１３１を参照して、多色原稿画像データに対応するＲＧＢ色空間の多値画素値を印刷に用いる色インクに対応した出力色空間の多値画素値に変換する。補正処理部１４２は、選択された基本色変換ＬＵＴ１３１に記憶されている出力色空間の多値画素値もしくは選択された基本色変換ＬＵＴ１３１に基づいて変換された出力色空間の多値画素値を、印刷に用いる色インクの特徴点情報と選択された基本色変換ＬＵＴ１３１における色インクの特徴点情報とに基づいて補正する。
【００２５】
図２は、印刷すべき多色原稿画像を原稿読み取り部１０１で読み取って、読み取った画像データを画像処理装置１４０で分版処理した単色画像データに基づいて刷版、印刷処理する場合の孔版印刷装置１００の処理動作の一例を示すフローチャートである。尚、以下に示す孔版印刷装置１００の処理動作は、操作パネル１０６に表示された製版・印刷画面（図示しない）が選択されると、処理が開始され、制御部１０４が孔版印刷装置１００の各部を制御することにより実現される。
【００２６】
ステップＳ０１において、制御部１０４は、操作パネル１０６からユーザにより入力された印刷に使用する色インク、重ね刷り順序等の条件設定を受け付け、ステップＳ０２の処理において、設定された設定内容を操作パネル１０６に表示する。
【００２７】
ステップＳ０３において、制御部１０４は、原稿読み取り部１０１に原稿がセットされているか否かを判別する。原稿がセットされていると判別した場合は、処理をステップＳ０４に進め、原稿がセットされていないと判別した場合は待機する。
【００２８】
ステップＳ０４において、制御部１０４は、操作パネル１０６からユーザにより製版開始が指示されたか否かを判別する。制御部１０４は、製版開始が指示されたと判別した場合は処理をステップＳ０５に進め、指示されていないと判別した場合は待機する。
【００２９】
ステップＳ０５において、原稿読み取り部１０１は、原稿セット台にセットされている原稿の画像を読み取り、読み取った画像データを画像処理装置１４０に送る。
【００３０】
ステップＳ０６において、画像処理装置１４０は、後述する分版処理を実行し、分版処理した原稿画像データ（製版画像データ）を製版部１０２に送る。
【００３１】
ステップＳ０７において、制御部１０４は、版胴１、版胴２に着版されている使用済みの孔版原紙を排版する。
【００３２】
ステップＳ０８において、製版部１０２は、画像処理装置１４０から送られた製版画像データに基づいて孔版原紙を製版処理する。
【００３３】
ステップＳ０９において、制御部１０４は、製版された孔版原紙を版胴１、版胴２に着版する。その後、制御部１０４は、印刷処理へ処理を進める。
【００３４】
図３は、図２のステップＳ０６に示した分版処理の、実施例１における詳細な処理手順を例示するフローチャートである。ここでは、多色原稿画像を異なる色の２つのインクC1、インクC2を用いて印刷する場合を例に説明する。実施例１における分版処理では、基本的な色インクの組み合わせに対応して予め作成された基本色変換ＬＵＴ１３１、即ち基本色変換ＬＵＴ１３１−１，１３１−２，…，１３１−ｉの中から、印刷に用いる色インクの情報と基本色変換ＬＵＴ１３１−１，１３１−２，…，１３１−ｉにおける色インクの情報とに基づいて、最適な基本色変換ＬＵＴ（例えば、基本色変換ＬＵＴ１３１−２）を選択する。そして、選択した基本色変換ＬＵＴ１３１−２に記憶されている出力色空間の多値画素値を、印刷に用いる色インクの特徴点情報と選択された基本色変換ＬＵＴ１３１−２における色インクの特徴点情報とに基づいて補正し、新たな色変換ＬＵＴ’として生成する。
【００３５】
予め、基本的な色インクの組み合わせとして、例えば(1)赤・青、(2)赤・緑、(3)赤・シアン、(4)赤・黒、 (5)青・黄、 (6)緑・マゼンタの色インクの６通りの組み合わせに対応した、６通りの基本色変換ＬＵＴ１３１−１，基本色変換ＬＵＴ１３１−２，…，基本色変換ＬＵＴ１３１−ｉ（i=6）を作成し、データ部１３０に記憶させておく。尚、予め用意しておく基本色変換ＬＵＴ１３１の色インクの組み合わせ及び組み合わせ数ｉは、これに限定されず、他の色インクによる組み合わせであっても良いし、組み合わせ数ｉは６通り未満であっても、７通り以上であっても良い。
【００３６】
また、基本色変換ＬＵＴ１３１−１，基本色変換ＬＵＴ１３１−２，…，基本色変換ＬＵＴ１３１−ｉのそれぞれの特徴点情報を予め変数エリア１３２に記憶させ、印刷に使用する色インクの特徴点情報を予め変数エリア１３３に記憶させておく。実際の印刷に使用する色インクC1及び色インクC2については、例えば、ＲＧＢ色空間における色値(rgb)=(0,0,0),(0,0,1),(0,1,0),(1,0,0),(0,1,1),(1,0,1),(1,1,0),(1,1,1)の８つの入力に対応する、色変換後の８つの色値（色変換ＬＵＴの出力値）(C1(r,g,b),C2(r,g,b))=(c11,c21),(c12,c22),(c13,c23),(c14,c24),(c15,c25),(c16,c26),(c17,c27),(c18,c28)を特徴点情報として変数エリア１３３に記憶させておく［但し、0≦r≦1、0≦g≦1、0≦b≦1 である］。同様に、基本色変換ＬＵＴ１３１における色インクC1e及び色インクC2eについても、ＲＧＢ色空間における色値(rgb)=(0,0,0),(0,0,1),(0,1,0),(1,0,0),(0,1,1),(1,0,1),(1,1,0),(1,1,1)の８つの入力に対応する、色変換後の８つの色値（色変換ＬＵＴの出力値）(c1e(r,g,b),c2e(r,g,b))=(c11e,c21e),(c12e,c22e),(c13e,c23e),(c14e,c24e),(c15e,c25e),(c16e,c26e),(c17e,c27e),(c18e,c28e)として変数エリア１３２に記憶させておく［但し、0≦r≦1、0≦g≦1、0≦b≦1である］。尚、上記特徴点情報における色変換後の各色値(c1(r,g,b), c2(r,g,b))あるいは(c1i(r,g,b),c2i(r,g,b))は、色空間の外側の値（c1>1、c2>1、c1i>1、c2i>1、c1<1、c2<1、c1i<1、c2i<1）でも良い。一般に、色変換ＬＵＴは色空間の外側の値を色空間内の値にクリップ（サチュレート）していることが多いが、特徴点情報の補正パラメータは、サチュレートする前の真の値を用いることとする。
【００３７】
画像処理装置１４０は、ステップＳ２１において、印刷に用いる色インク情報と、重ね刷り順序情報（インクC1→インクC2またはインクC2→インクC1）を制御部１０４から取得する。
【００３８】
ステップＳ２２において、ＬＵＴ選択部１４３は、基本的な色インクの組み合わせに対応して予め作成された基本色変換ＬＵＴ１３１−１，基本色変換ＬＵＴ１３１−２，…，基本色変換ＬＵＴ１３１−ｉの中から最適な基本色変換ＬＵＴ１３１（例えば、基本色変換ＬＵＴ１３１−２）を選択する（詳細は後述する）。
【００３９】
ステップＳ２３において、補正処理部１４２は、選択された基本色変換ＬＵＴ１３１−２に記憶されている出力色空間の多値画素値を、印刷に用いる色インクC1，C2の特徴点情報と選択された基本色変換ＬＵＴ１３１−２における色インクC1e，C2eの特徴点情報とに基づいて補正し、以降の処理で用いる新たな色変換ＬＵＴ’として生成する（詳細は後述する）。
【００４０】
ステップＳ２４において、画像処理装置１４０は、原稿読み取り部１０１にて読み取られた多色原稿画像データをＲＧＢ色空間の多値画素値（ビットマップ画像）に展開する。
【００４１】
ステップＳ２５において、色空間座標変換部１４１は、生成された色変換ＬＵＴ’に基づいて変換するＲＧＢ多値画像データの任意の画素j(r,g,b)をパラメータとして選択する。
【００４２】
ステップＳ２６において、色空間座標変換部１４１は、選択された任意の画素j(r,g,b)に応じて、生成された色変換ＬＵＴ’を参照して、出力色空間の画素j(c1(r,g,b),c2(r,g,b))に変換する。
【００４３】
ステップＳ２７において、制御部１０４は、出力色空間の画素を制御部１０４のＲＡＭに記憶する。
【００４４】
ステップＳ２８において、画像処理装置１４０は、ＲＧＢ多値画像データの全画素について色変換ＬＵＴ’による色変換（補正処理）が完了したか否かを判別し、全画素について補正処理が完了していれば、この分版処理を終了する。逆に、補正処理未完了の画素が残っていれば、処理をステップＳ２５に戻す。
【００４５】
図４は、図３のステップＳ２２に示した最適な基本色変換ＬＵＴ１３１を選択する処理の詳細な処理手順を例示するフローチャートである。
【００４６】
ステップＳ４１において、ＬＵＴ選択部１４３は、インデックスｉを１に設定する。
【００４７】
ステップＳ４２において、ＬＵＴ選択部１４３は、印刷に使用する色インクC1及び色インクC2と、基本色変換ＬＵＴ１３１−ｉにおける色インクc1i及び色インクc2iとの色差Δ1i，Δ2i，Δ3i，Δ4iを求める。但し、色差Δ1iは色インクC1と色インクC1iとの色差、色差Δ2iは色インクC2と色インクC2iとの色差、色差Δ3iは色インクC1と色インクC2iとの色差、色差Δ4iは色インクC2と色インクC1iとの色差である。尚、ここで求める色差は、例えば、Ｌ*ａ*ｂ*色空間における色差（図５に示す例では、Ｌ*ａ*ｂ*色空間における色インクC1と色インクC1iとの色差Δ1i）でも良いし、Ｌ*ｕ*ｖ*色空間、ＲＧＢ色空間、ＸＹＺ色空間等における色差であっても良い。
【００４８】
ステップＳ４３において、ＬＵＴ選択部１４３は、求めた色差Δ1i，Δ2i，Δ3i，Δ4iの差分値(Δi)2，(Δi’)2を式１により算出する。
【００４９】
(Δi)2   = (Δ1i)2 +(Δ2i)2 
(Δi’)2 = (Δ3i)2 +(Δ4i)2                                     (1)
【００５０】
ＬＵＴ選択部１４３は、ステップＳ４４において、インデックスiに１を加算し、ステップＳ４５において、インデックスiの値が予め作成された基本色変換ＬＵＴ１３１の数を超えたか否かを判別する。判別の結果、インデックスiの値が基本色変換ＬＵＴ１３１の数を超えた場合は、ステップＳ４６に処理を進め、インデックスiの値が基本色変換ＬＵＴ１３１の数を超えていない場合は、ステップＳ４２に処理を戻す。
【００５１】
ステップＳ４６において、ＬＵＴ選択部１４３は、基本色変換ＬＵＴ１３１−１，基本色変換ＬＵＴ１３１−２，…，基本色変換ＬＵＴ１３１−ｉの中で、差分値(Δi)2または差分値(Δi’)2のいずれかが最小である基本色変換ＬＵＴ１３１（例えば、基本色変換ＬＵＴ１３１−２）を、最適な基本色変換ＬＵＴとして選択し、処理を終了する。尚、色インクC1e及び色インクC2eからなる基本色変換ＬＵＴ１３１−２が最適な基本色変換ＬＵＴとして選択されたものとして、以降の説明を行う。
【００５２】
図６は、図３のステップＳ２３に示したＬＵＴ補正処理の詳細な処理手順を例示するフローチャートである。
【００５３】
ステップＳ６１において、補正処理部１４２は、色インクを選択するためのインデックスnを１に設定する。
【００５４】
ステップＳ６２において、補正処理部１４２は、印刷に使用する色インクCnについて、ＲＧＢ空間のＲ＝０のＧＢ平面の各辺における色変換ＬＵＴの出力値cnを算出する。
【００５５】
ここで、図８に例示するように、印刷に使用する色インクCn［n=1、即ち色インクC1］の特徴点情報として、c1(1,1,1)=W［ホワイト］, c1(0,0,0)=K［ブラック］, c1(0,0,1)=B［ブルー］, c1(0,1,0)=G［グリーン］, c1(1,0,0)=R［レッド］, c1(0,1,1)=C［シアン］, c1(1,0,1)=M［マゼンタ］, c1(1,1,0)=Y［イエロー］の８つの頂点の色値が定義され、変数エリア１３３に記憶されているとする。また、選択された基本色変換ＬＵＴ１３１−２の特徴点情報として、図７に例示するように、c1e(1,1,1)=We［ホワイト］, c1e(0,0,0)=Ke［ブラック］, c1e(0,0,1)=Be［ブルー］, c1e(0,1,0)=Ge［グリーン］, c1e(1,0,0)=Re［レッド］, c1e(0,1,1)=Ce［シアン］, c1e(1,0,1)=Me［マゼンタ］, c1e(1,1,0)=Ye［イエロー］の８つの頂点の色値が定義され、変数エリア１３２に記憶されているとする。
【００５６】
色インクC1におけるＲＧＢ空間の任意の点の色変換ＬＵＴ出力値c1(r,g,b)は、色インクC1eにおけるＲＧＢ空間の既知の点の色変換ＬＵＴ出力値c1e(r,g,b)と、色インクC1及び色インクC1eの８つの頂点の色値（特徴点情報）とから算出する。まず、色インクC1におけるＲＧＢ空間のＲ＝０のＧＢ平面の各辺に対応する中間点（例えば、色インクC1における辺［R=0,G=0,B=b］）の補正値c1を算出する。
【００５７】
選択された基本色変換ＬＵＴ１３１−２の色インクC1eにおいて、頂点Keから頂点Beに至る直線c1eの式は、式２により算出できる。
【００５８】
c1e=(Be-Ke)b+Ke                                             (2) 
【００５９】
また、選択された基本色変換ＬＵＴ１３１の色インクC1eにおいて、図８（ａ）に例示するように、辺［R=0,G=0,B=b］における色変換ＬＵＴ出力値c1e(0,0,b)と直線c1eとの差分Δc1eは、式３により算出できる。
【００６０】
Δc1e=c1e(0,0,b)-((Be-Ke)b+Ke)                            (3) 
【００６１】
従って、色インクC1における辺［R=0,G=0,B=b］の補正値（色変換ＬＵＴ出力値）c1(0,0,b)は、図８（ｂ）に例示するように、頂点K［c1(0,0,0)］と頂点B［c1(0,0,1)］とを結ぶ直線から、差分Δc1eだけ離れた値をとるものと定義する。よって、色インクC1における頂点Kから頂点Bに至る直線は、式４により算出され、色インクC1における辺［R=0,G=0,B=b］の色変換ＬＵＴ出力値c1(0,0,b)は、式５により算出される。
【００６２】
c1=(B-K)b+K                                                  (4) 
c1(0,0,b)=(B-K)b+K+Δc1e
=(B-K)b+K+(c1e(0,0,b)-((Be-Ke)b+Ke))          (5) 
【００６３】
同様にして、図９（ａ）に例示するように、色インクC1におけるＲＧＢ空間のＲ＝０のＧＢ平面の他の辺［R=0,G=1,B=b］の色変換ＬＵＴ出力値c1(0,1,b)、辺［R=0,G=g,B=0］の色変換ＬＵＴ出力値c1(0,g,0)、辺［R=0,G=g,B=1］の色変換ＬＵＴ出力値c1(0,g,1)についても、式６〜式８により順次計算していく。
【００６４】
c1(0,1,b)=(C-G)b+G+Δc1e
=(C-G)b+G+(c1e(0,1,b)-((Ce-Ge)b+Ge))         (6) 
c1(0,g,0)=(G-K)b+K+Δc1e
=(G-K)b+K+(c1e(0,g,0)-((Ge-Ke)b+Ke))         (7)
c1(0,g,1)=(C-B)b+B+Δc1e
=(C-B)b+B+(c1e(0,g,1)-((Ce-Be)b+Be))         (8)
【００６５】
色インクC1におけるＲＧＢ空間のＲ＝０のＧＢ平面の各辺の値が算出されると、次にステップＳ６３において、補正処理部１４２は、色インクC1におけるＲＧＢ空間のＲ＝０のＧＢ平面の中間点（正方形の内部の任意の点）を算出する。
【００６６】
図９（ｂ）に例示するような線分（r,g,b）=（0,g,b）は、ステップＳ６２における各辺の算出の場合と同様に、G=gで切った端点c1(0,g,0)と端点c1(0,g,1)とから、式９により計算する。
【００６７】
c1(0,g,b)=(c1(0,g,1)-c1(0,g,0))b+c1(0,g,0)+Δc1e
=(c1(0,g,1)-c1(0,g,0))b+c1(0,g,0)+(c1e(0,g,b)
-((c1e(0,g,1)-c1e(0,g,0))b)+ c1e(0,g,0))       (9)
【００６８】
同様にして、補正処理部１４２は、ステップＳ６４において、ＲＧＢ空間のＲ＝１のＧＢ平面の辺［R=1,G=0,B=b］の色変換ＬＵＴ出力値c1(1,0,b)、辺［R=1,G=1,B=b］の色変換ＬＵＴ出力値c1(1,1,b)、辺［R=1,G=g,B=0］の色変換ＬＵＴ出力値c1(1,g,0)、辺［R=1,G=g,B=1］の色変換ＬＵＴ出力値c1(1,g,1)を算出し、ステップＳ６５において、ＲＧＢ空間のＲ＝１のＧＢ平面の中間点［R=1,G=g,B=b］の色変換ＬＵＴ出力値c1(1,g,b)を、式１０により算出する。
【００６９】
c1(1,g,b)=(c1(1,g,1)-c1(1,g,0))b+c1(1,g,0)+Δc1e
=(c1(1,g,1)-c1(1,g,0))b+c1(1,g,0)+(c1e(1,g,b)
-((c1e(1,g,1)-c1e(1,g,0))b)+ c1e(1,g,0))      (10)
【００７０】
そして、ステップＳ６６において、補正処理部１４２は、色インクC1におけるＲＧＢ色空間の立方体の内部の任意の点［R=r,G=g,B=b］に対応するc1(r,g,b)の値を算出する。具体的には、補正処理部１４２は、R=0の面に対応するc1の値と、R=1の面に対応するc1の値から、ＲＧＢ色空間内部の点に対応するc1(r,g,b)の値を、R=r,G=gで切った端点c1(r,g,0)と端点c1(r,g,1)から、式１１により算出する。
【００７１】
c1(r,g,b)=(c1(r,g,1)-c1(r,g,0))b+c1(r,g,0)+Δc1e 
=(c1(r,g,1)-c1(r,g,0))b+c1(r,g,0)+(c1e(r,g,b)
-((c1e(r,g,1)-c1e(r,g,0))b+c1e(r,g,0))        (11)
【００７２】
次に、補正処理部１４２は、ステップＳ６７において、色インクC1におけるＲＧＢ色空間の点c1(r,g,b)が色空間（立方体）の外側であるか否かを判定し、図１０（ａ）に例示するように、c1(r,g,b)＞1 であれば、ステップＳ６８において、図１０（ｂ）に例示するように、c1(r,g,b)=1でクリップする。ステップＳ６７の判定の結果、c1(r,g,b)≦1 であれば、補正処理部１４２は、ステップＳ６９において、色インクC1におけるＲＧＢ色空間の任意の点c1(r,g,b)が色空間（立方体）の外側であるか否かを判定する。判定の結果、c1(r,g,b)＜0 であれば、補正処理部１４２は、ステップＳ７０において、c1(r,g,b)=0でクリップする。ステップＳ６９の判定の結果、c1(r,g,b)≧0 であれば、クリップを行わない。
【００７３】
以上のようにして、色インクC1における色変換ＬＵＴの補正値c1(r,g,b)が算出される。
【００７４】
補正処理部１４２は、ステップＳ７１において、インデックスnに１を加算し、ステップＳ７２において、インデックスnの値が色インクの数を超えたか否かを判別する。判別の結果、インデックスnの値が色インクの数を超えた場合は、ステップＳ７３に処理を進め、インデックスnの値が色インクの数を超えていない場合は、ステップＳ６２に処理を戻す。
【００７５】
ステップＳ７３において、補正処理部１４２は、以上の処理で算出したＲＧＢ色空間の面データ(c1(r,g,b),c2(r,g,b))を基に、新たな色変換ＬＵＴ’を生成する。
【００７６】
このようにして、補正処理部１４２は、選択された基本色変換ＬＵＴ１３１に記憶されている出力色空間の多値画素値を、印刷に用いる色インクC1，C2の特徴点情報と選択された基本色変換ＬＵＴ１３１における色インクC1e，C2eの特徴点情報とに基づいて補正し、新たな色変換ＬＵＴ’を生成することができる。尚、この例では、R=0、R=1の面に対応する特徴点情報から色インクc1，c2の補正値を求めたが、G=0,G=1の面や、B=0,B=1の面に対応する特徴点情報から色インクc1，c2の補正値を求めても結果は同様である。また、３色以上の色インクの組み合わせに関しても、同様に算出することで対応できる。
【００７７】
以上説明したように、第１の実施例においては、基本的な色インクの組み合わせに対応して予め作成された基本色変換ＬＵＴ１３１の中から、印刷に用いる色インクC1，C2の情報と基本色変換ＬＵＴ１３１−２における色インクC1e，C2eの情報とに基づいて最適な基本色変換ＬＵＴを選択し、選択した基本色変換ＬＵＴ１３１−２に記憶されている出力色空間の多値画素値を、印刷に用いる色インクC1，C2の特徴点情報と選択された基本色変換ＬＵＴ１３１−２における色インクC1e，C2eの特徴点情報とに基づいて補正し、新たな色変換ＬＵＴ’として生成する。これにより、印刷条件毎に色変換ＬＵＴを予め作成しておかなくても、多色原稿画像データの原稿色に対応した原稿色空間の多値画素値を、印刷に用いる色インクに対応した色空間の多値画素値に変換することができ、良好な印刷結果を得ることができる。
【００７８】
［実施例２］
実施例１では、基本的な色インクの組み合わせに対応して予め作成された基本色変換ＬＵＴの中から、印刷に用いる色インクC1，C2の情報と基本色変換ＬＵＴ１３１−１，基本色変換ＬＵＴ１３１−２，…，基本色変換ＬＵＴ１３１−ｉにおける色インクC1i，C2iの情報とに基づいて最適な基本色変換ＬＵＴ１３１−２を選択し、選択した基本色変換ＬＵＴ１３１−２に記憶されている出力色空間の多値画素値を、印刷に用いる色インクC1，C2の特徴点情報と選択された基本色変換ＬＵＴ１３１−２における色インクC1e，C2eの特徴点情報とに基づいて補正し、新たな色変換ＬＵＴ’を生成する例を示した。
【００７９】
それに対して、実施例２では、基本色変換ＬＵＴ１３１−２を参照して変換された出力多値画像データの任意の画素を、印刷に用いる色インクC1，C2の特徴点情報と選択された基本色変換ＬＵＴ１３１−２における色インクC1e，C2eの特徴点情報とに基づいて補正する例を説明する。
【００８０】
図１１は、図３のステップＳ２３に示したＬＵＴ補正処理の、実施例２における詳細な処理手順を例示するフローチャートである。
【００８１】
画像処理装置１４０は、ステップＳ８１において、印刷に用いる色インク情報と、重ね刷り順序情報（インクC1→インクC2またはインクC2→インクC1）を制御部１０４から取得する。
【００８２】
ステップＳ８２において、ＬＵＴ選択部１４３は、基本的な色インクの組み合わせに対応して予め作成された基本色変換ＬＵＴ１３１−１，基本色変換ＬＵＴ１３１−２，…，基本色変換ＬＵＴ１３１−ｉの中から最適な基本色変換ＬＵＴ１３１（例えば、基本色変換ＬＵＴ１３１−２）を選択する。この最適な基本色変換ＬＵＴ１３１を選択する処理は、第１の実施例における最適な基本色変換ＬＵＴ選択処理（ステップＳ２２）と同様である。
【００８３】
ステップＳ８３において、画像処理装置１４０は、原稿読み取り部１０１にて読み取られた多色原稿画像データをＲＧＢ色空間の多値画素値（ビットマップ画像）に展開する。
【００８４】
ステップＳ８４において、色空間座標変換部１４１は、選択された基本色変換ＬＵＴ１３１−２に基づいて変換するＲＧＢ多値画像データの任意の画素j(r,g,b)をパラメータとして選択する。
【００８５】
ステップＳ８５において、色空間座標変換部１４１は、選択された任意の画素j(r,g,b)に応じて、選択された基本色変換ＬＵＴ１３１−２を参照して、出力色空間の画素j(c1(r,g,b),c2(r,g,b))に変換する。
【００８６】
ステップＳ８６において、補正処理部１４２は、基本色変換ＬＵＴ１３１−２から受け取った出力色空間の画素j(c1(r,g,b),c2(r,g,b))を、印刷に用いる色インクC1，C2の特徴点情報と選択された基本色変換ＬＵＴ１３１−２における色インクC1e，C2eの特徴点情報とに基づいて補正する。出力色空間の画素j(c1(r,g,b),c2(r,g,b))に対する補正処理は、第１の実施例における補正処理（ステップＳ２３）と同様である。
【００８７】
ステップＳ８７において、制御部１０４は、出力色空間の画素を制御部１０４のＲＡＭに記憶する。
【００８８】
ステップＳ８８において、画像処理装置１４０は、ＲＧＢ多値画像データの全画素について補正処理が完了したか否かを判別し、全画素について補正処理が完了していれば、この分版処理を終了する。逆に、補正処理未完了の画素が残っていれば、処理をステップＳ８４に戻す。
【００８９】
このように、基本的な色インクの組み合わせに対応して予め作成された基本色変換ＬＵＴ１３１−１，基本色変換ＬＵＴ１３１−２，…，基本色変換ＬＵＴ１３１−ｉの中から、印刷に用いる色インクC1，C2の情報と基本色変換ＬＵＴ１３１−１，基本色変換ＬＵＴ１３１−２，…，基本色変換ＬＵＴ１３１−ｉにおける色インクC1i，C2iの情報とに基づいて最適な基本色変換ＬＵＴ１３１−２を選択する。そして、選択した基本色変換ＬＵＴ１３１−２を参照して変換された出力色空間の任意の画素画素j(c1rgb,c2rgb)を、印刷に用いる色インクC1，C2の特徴点情報と選択された基本色変換ＬＵＴ１３１−２における色インクC1e，C2eの特徴点情報とに基づいて補正する。これにより、印刷条件毎に色変換ＬＵＴを予め作成しておかなくても、多色原稿画像データの原稿色に対応した原稿色空間の多値画素値を、印刷に用いる色インクに対応した色空間の多値画素値に変換することができ、良好な印刷結果を得ることができる。
【００９０】
［実施例３］
実施例１〜実施例２では、孔版印刷装置１００に組み込まれた画像処理装置１４０において補正処理を実行する例を示したが、実施例３では、原稿作成装置２００に組み込まれるプリンタドライバ２４０において上記補正処理を実行する例を示す。
【００９１】
図１２に示すように、原稿作成装置２００は、例えばパーソナルコンピュータ等により実現され、情報を入力するキーボードやマウス等の入力部２０１、処理した情報やデータを表示する表示装置等の出力部２０２、ネットワーク等を介して外部と接続するための外部インタフェース部２１０、いずれも図示しない中央処理装置（ＣＰＵ）、プログラムやデータを記憶するＲＯＭ、ワークエリアとしてのＲＡＭ等で構成される制御部２２０、データ部２３０、プリンタドライバ２４０、１つ以上のアプリケーションプログラム２５０等を記憶する大容量の（図示しない）ハードディスク等を備えている。また、データ部２３０は基本色変換ＬＵＴ２３１、変数エリア２３２、変数エリア２３３を有し、プリンタドライバ２４０は、色空間座標変換部２４１、補正処理部２４２、ＬＵＴ選択部２４３を有する。
【００９２】
尚、基本色変換ＬＵＴ２３１、変数エリア２３２、変数エリア２３３、色空間座標変換部２４１、補正処理部２４２、ＬＵＴ選択部２４３は、実施例１で説明した基本色変換ＬＵＴ１３１、変数エリア１３２、変数エリア１３３、色空間座標変換部１４１、補正処理部１４２、ＬＵＴ選択部１４３と同等であり、詳細は省略する。
【００９３】
例えば、実施例２と同様の方法で実現する場合の処理手順を以下、簡単に説明する。
【００９４】
ユーザによりアプリケーションプログラム２５０等で作成された多色原稿画像データを印刷するよう指示されると、プリンタドライバ２４０は外部インタフェース部２１０を介して孔版印刷装置１００から印刷に用いる色インクと、その重ね刷り順序情報を取得する。
【００９５】
次に、色空間座標変換部２４１は、基本的な色インクの組み合わせに対応して予め作成された基本色変換ＬＵＴ２３１−１，基本色変換ＬＵＴ２３１−２，…，基本色変換ＬＵＴ２３１−ｉの中から最適な基本色変換ＬＵＴ（例えば、基本色変換ＬＵＴ２３１−２）を選択する。そして、色空間座標変換部２４１は、アプリケーションプログラム２５０等で作成された多色原稿画像データのＲＧＢ色空間の多値画素値の任意の画素jを選択し、選択された基本色変換ＬＵＴ２３１−２を参照してＲＧＢ色空間から出力色空間への色変換を実行し、変換された出力色空間の画素値（画像データ）を補正処理部２４２に渡す。
【００９６】
そして、補正処理部２４２は、受け取った出力色空間の画素jを、印刷に用いる色インクC1，C2の特徴点情報と、選択された基本色変換ＬＵＴ１３１−２における色インクC1e，C2eの特徴点情報とに基づいて補正処理し、製版画像データを生成する（詳細は図１１参照）。
【００９７】
多色原稿画像データのＲＧＢ色空間の多値画素値について変換処理が終了するまで、この処理を繰り返す。
【００９８】
そして、変換処理が終了したら、製版画像データを外部インタフェース部２１０を介して孔版印刷装置１００に送信する。尚、製版画像データはプリンタドライバ２４０で孔版印刷装置１００が理解できる形式に変換されることは言うまでもない。
【００９９】
そして、プリンタドライバ２４０のＬＵＴ選択部２１３、色空間座標変換部２４１、補正処理部２４２が、実施例１から実施例２で説明した処理動作を実行することで、印刷条件毎に色変換ＬＵＴを予め作成しておかなくても、多色原稿画像データの原稿色に対応した原稿色空間の多値画素値を、印刷に用いる色インクに対応した色空間の多値画素値に変換することができ、良好な印刷結果を得ることができる。
【０１００】
以上の説明から明らかなように、本実施形態による画像処理装置１４０、画像処理方法、及びプリンタドライバ２４０によれば、基本色変換ＬＵＴ１３１−１，基本色変換ＬＵＴ１３１−２，…，基本色変換ＬＵＴ１３１−ｉの中から、印刷に用いる色インクCnの情報と、基本色変換ＬＵＴ１３１−１，基本色変換ＬＵＴ１３１−２，…，基本色変換ＬＵＴ１３１−ｉにおける色インクCniの情報とに基づいて最適な基本色変換ＬＵＴ１３１−２を選択し、選択された基本色変換ＬＵＴ１３１−２を参照して変換された出力色空間の多値画素値もしくは基本色変換ＬＵＴ１３１−２に記憶されている出力色空間の多値画素値を、印刷に用いる色インクCnの特徴点情報と選択された基本色変換ＬＵＴ１３１−２における色インクCniの特徴点情報とに応じて補正するため、基本色変換ＬＵＴ１３１により、多色原稿画像データの原稿色に対応した原稿色空間の多値画素値を、印刷に用いる色インクに対応した色空間の多値画素値に変換することができ、良好な印刷結果を得ることができる。
【０１０１】
従って、印刷に用いる色インクや重ね刷り順序を考慮した色変換ＬＵＴを予め用意しておかなくても、基本的な色インクの組み合わせに対応した基本色変換ＬＵＴ１３１を用意しておくだけで、好適な印刷結果を得ることができる。
【０１０２】
以上、本発明の実施形態について詳細に説明したが、本発明は、その精神または主要な特徴から逸脱することなく、他の色々な形で実施することができる。
【０１０３】
例えば、本実施形態においては、２つの版胴を装着して二色印刷可能な孔版印刷装置１００を例に説明したが、３つ以上の版胴を備えた多色印刷装置にも適用することができるし、孔版印刷装置に限らず、例えばオフセット印刷装置やインクジェット印刷装置など、他の印刷装置に適用することもできる。
【０１０４】
また、画像処理装置１４０は、孔版印刷装置１００以外にも、例えば、プリンタサーバやラスターイメージプロセッサなどに組み込んでも良いし、独立した装置として構成しても良い。
【０１０５】
このように、前述の実施例はあらゆる点で単なる例示に過ぎず、限定的に解釈してはならない。本発明の範囲は、特許請求の範囲によって示すものであって、明細書本文には何ら拘束されない。さらに、特許請求の範囲の均等範囲に属する変形や変更は、全て本発明の範囲内のものである。
【図面の簡単な説明】
【０１０６】
【図１】本実施形態による印刷システムの構成を例示する概略ブロック図である。
【図２】図１に示す印刷システムのうち孔版印刷装置の処理動作の一例を示すフローチャートである。
【図３】図２のステップＳ０６に示した分版処理の詳細な処理手順（実施例１）を例示するフローチャートである。
【図４】図３のステップＳ２２に示した基本色変換ＬＵＴ選択処理の詳細な処理手順を例示するフローチャートである。
【図５】図４のステップＳ４２で求める色差の一例（Ｌ*ａ*ｂ*色空間）を示す図である。
【図６】図３のステップＳ２３に示したＬＵＴ補正処理の詳細な処理手順（実施例１）を例示するフローチャートである。
【図７】基本色変換ＬＵＴの色空間における色インクc1eの特徴点情報及び色変換出力値を説明するための模式図である。
【図８】図７に示した基本色変換ＬＵＴの辺［R=0,G=0,B=b］から色変換ＬＵＴ’の辺［R=0,G=0,B=b］を求める処理を説明するための模式図である。
【図９】色変換ＬＵＴ’の色空間における色インクC1の特徴点情報及び色変換出力値を説明するための模式図である。
【図１０】色変換ＬＵＴ’の特徴点が色変換ＬＵＴ’の色空間の外側に設定されていた場合に、色空間内にクリップする処理を説明するための模式図である。
【図１１】図３のステップＳ２３に示した分版処理の詳細な処理手順（実施例２）を例示するフローチャートである。
【図１２】実施例３における印刷システムの構成例を示す概略ブロック図である。
【符号の説明】
【０１０７】
１００…孔版印刷装置
１０１…原稿読み取り部
１０２…製版部
１０３…印刷部
１０４…制御部
１０５…外部インタフェース部
１０６…操作パネル
１３０…データ部
１３１…基本色変換ＬＵＴ
１３１−１，１３１−２，１３１−ｉ…基本色変換ＬＵＴ
１３２…変数エリア
１３３…変数エリア
１４０…画像処理装置
１４１…色空間座標変換部
１４２…補正処理部
１４３…ＬＵＴ選択部
２００…原稿作成装置
２０１…入力部
２０２…出力部
２１０…外部インタフェース部
２２０…制御部
２３０…データ部
２３１…基本色変換ＬＵＴ
２３１−１，２３１−２，２３１−ｉ…基本色変換ＬＵＴ
２３２…変数エリア
２３３…変数エリア
２４０…プリンタドライバ
２４１…色空間座標変換部
２４２…補正処理部
２４３…ＬＵＴ選択部
２５０…アプリケーションプログラム
【図１】
2005323240.tif 000003
【図２】
2005323240.tif 000004
【図３】
2005323240.tif 000005
【図４】
2005323240.tif 000006
【図５】
2005323240.tif 000007
【図６】
2005323240.tif 000008
【図７】
2005323240.tif 000009
【図８】
2005323240.tif 000010
【図９】
2005323240.tif 000011
【図１０】
2005323240.tif 000012
【図１１】
2005323240.tif 000013
【図１２】
2005323240.tif 000014